(57)【要約】      （修正有）【課題】入浴時に背中や首、頭、腕を受け止めることができると共に、浴槽の大きさや形状等が変化した場合にも適用できる浴槽用クッションを提供する。【解決手段】この浴槽用クッション１０は、浴槽１の長手方向一端の開口縁部３に吸盤を介して取付けられるセンタークッション２０と、浴槽１の長手方向一端の両側に位置する開口縁部５に、吸盤を介してそれぞれ取付けられる一対のサイドクッション３０，３１とを備え、センタークッション２０及び各サイドクッション３０，３１は、吸盤を介して、浴槽１の上面７と内側面９とに着脱可能に固定され、開口縁部３，５の上下を覆うように構成されている。【選択図】図１
0003207933.tif 000002
【実用新案登録請求の範囲】
【請求項１】
浴槽の長手方向一端の開口縁部に吸盤を介して取付けられるセンタークッションと、前記長手方向一端の両側に位置する開口縁部に、吸盤を介してそれぞれ取付けられる一対のサイドクッションとを備え、
前記センタークッション及び前記サイドクッションは、前記吸盤を介して、前記浴槽の上面と内側面とに着脱可能に固定され、前記開口縁部の上下を覆うように構成されていることを特徴とする浴槽用クッション。
【請求項２】
前記センタークッションと前記サイドクッションとが近接する部分であって前記浴槽の上面を覆う部分には、前記センタークッション側及び／又は前記サイドクッション側から隣接する相手側に向かって、前記上面のみを覆う幅で伸びる延出部が形成されている請求項１記載の浴槽用クッション。
【請求項３】
前記センタークッション及び前記サイドクッションは、三次元立体編物からなるカバー材と、該カバー材の内部に、合成樹脂製の筒状ビーズを複数充填してなる芯材とで構成されており、前記カバー材の片面に前記吸盤が装着されている請求項１又は２記載の浴槽用クッション。
【請求項４】
前記センタークッション及び前記サイドクッションのカバー材には、キルティング加工が施されており、該キルティング加工のミシン目の部分で折り曲げ可能とされている請求項３記載の浴槽用クッション。
【請求項５】
前記センタークッション及び前記サイドクッションの、前記カバー材のミシン目は、少なくとも、前記浴槽の上面を覆う部分と、前記浴槽の内側面を覆う部分との間に設けられており、前記吸盤は、このミシン目よりも上方部分と下方部分とに装着されている請求項４記載の浴槽用クッション。
【考案の詳細な説明】
【技術分野】
【０００１】
本考案は、浴槽の中でくつろぐことができ、すべったりして浴槽の縁等にぶつかってもその衝撃を和らげることができる、浴槽用クッションに関する。
【背景技術】
【０００２】
浴槽の縁部に背中や首を当接させて、浴槽内で足を伸ばしてくつろぎたい場合がある。また、老人や身体の不自由な人が浴層に入浴する際に、すべって体を浴槽の縁部にぶつけたりしたときに、その衝撃を和らげることが望まれている。このような目的で、浴槽にクッションを取付けることが提案されている。
【０００３】
例えば、下記特許文献１には、浴槽に固定するための長方形の帯状をした連結帯部と、この連結帯部の下端縁に連続して形成された主として背中に当接させるための背部クッションと、上端縁に連続して形成された主として後頭部を当接させるための頭部クッションとからなり、頭部クッションの略中央の連結帯部に隣接した部位には、略台形状をした開口部が形成されており、連結帯部の裏面には３個の吸盤が設けられた、入浴用クッションが記載されている。
【０００４】
また、下記特許文献２には、浴槽の上縁部内側に段部が形成され、裏側に該段部に対応する凹凸部を有する安楽用具が、その凹凸部を浴槽の段部に嵌合することにより着脱自在に取着されてなる浴槽が記載されている。
【先行技術文献】
【特許文献】
【０００５】
【特許文献１】特開２００９−３９２１５号公報
【特許文献２】実用新案登録第２５７１４５５号公報
【考案の概要】
【考案が解決しようとする課題】
【０００６】
上記特許文献１の入浴用クッションにおいては、頭部クッションによって首や背中を受け止め、背部クッションによって背中を受け止めることができるが、腕を受け止める部分がなく、また、浴槽の首や背中が当たる部分だけにクッションを設けるため、老人や身体の不自由な人が浴層に入浴する際の安全性を高めるという点で不十分なものであった。
【０００７】
また、特許文献２における安楽用具は、浴槽の段部に適合する形状にする必要があり、浴槽の大きさや形状等が変化した場合に取付けることができず、汎用性に欠けるという不都合がある。
【０００８】
したがって、本考案の目的は、入浴時に背中や首、頭のみならず、腕を受け止めることができると共に、浴槽の大きさや形状等が変化した場合にも適用することができる、浴槽用クッションを提供することにある。
【課題を解決するための手段】
【０００９】
上記目的を達成するため、本考案は、浴槽の長手方向一端の開口縁部に吸盤を介して取付けられるセンタークッションと、前記長手方向一端の両側に位置する開口縁部に、吸盤を介してそれぞれ取付けられる一対のサイドクッションとを備え、前記センタークッション及び前記サイドクッションは、前記吸盤を介して、前記浴槽の上面と内側面とに着脱可能に固定され、前記開口縁部の上下を覆うように構成されていることを特徴とする。
【００１０】
本考案によれば、浴槽の長手方向一端の開口縁部の上下をセンタークッションで覆い、その両側に位置する開口縁部の上下を一対のサイドクッションで覆うことにより、老人や身体の不自由な人が浴槽に入るときに、すべったりして開口縁部に体をぶつけても、センタークッションとサイドクッションによって衝撃を和らげて、けがをすることを防ぐことができる。
【００１１】
また、浴槽に入って、長手方向一端の開口縁部に背中や首や頭を当接させて足を伸ばしてくつろぐ際に、背中や首や頭をセンタークッションに当接させると共に、両腕をサイドクッションに載せることにより、体の重さをクッションで受け止めて心地よくすることができると共に、クッションによって体が滑ることを抑制することができる。
【００１２】
更に、浴槽の形状が変わっても、センタークッションとサイドクッションとに分かれているので、浴槽のコーナー部の形状などに拘束されることなく、それぞれを容易に取付けることができる。また、浴槽の大きさが変わっても、センタークッションとサイドクッションとの間隔を調整することにより、幅広く適用することができる。
【００１３】
本考案の浴槽用クッションにおいては、前記センタークッションと前記サイドクッションとが近接する部分であって前記浴槽の上面を覆う部分には、前記センタークッション側及び／又は前記サイドクッション側から隣接する相手側に向かって、前記上面のみを覆う幅で伸びる延出部が形成されていることが好ましい。
【００１４】
上記態様によれば、例えばセンタークッションとサイドクッションとが長方形等の形状であった場合、前記浴槽の内側面に当接する部分は互いに近づいて配置できるが、前記浴槽の上面に当接する部分は離れてしまう傾向がある。この態様によれば、上面に当接する部分に、センタークッション側及び／又はサイドクッション側から隣接する相手側に向かって、上面のみを覆う幅で伸びる延出部が形成されているので、浴槽の上面もできるだけ隙間を空けることなく覆うことができ、滑ったときの保護効果を高めることができる。
【００１５】
本考案の浴槽用クッションにおいては、前記センタークッション及び前記サイドクッションは、三次元立体編物からなるカバー材と、該カバー材の内部に、合成樹脂製の筒状ビーズを複数充填してなる芯材とで構成されており、前記カバー材の片面に前記吸盤が装着されていることが好ましい。
【００１６】
上記態様によれば、三次元立体編物からなるカバー材によって、軽量化を図りつつクッション性を高めることができる。また、カバー材は三次元立体編物からなると共に、芯材は複数の筒状ビーズからなるため、これらに浴槽の水が含浸しても、速やかに水を落下させることができるので、クッションが重くなりにくく、使用後の後片付けを簡単に行うことができると共に、クッションの乾燥も迅速に行うことができ、再使用時の不快感がなくなる。更に、筒状ビーズからなる芯材によって、クッションの耐衝撃性を高めることができ、入浴時に浴槽の開口縁部に体をぶつけたときに、衝撃をより効果的に和らげることができ、けがをより確実に防ぐことができる。
【００１７】
本考案の浴槽用クッションにおいては、前記センタークッション及び前記サイドクッションのカバー材には、キルティング加工が施されており、該キルティング加工のミシン目の部分で折り曲げ可能とされていることが好ましい。
【００１８】
上記態様によれば、ミシン目の部分で、センタークッションやサイドクッションを適宜折り曲げて、浴槽の対応する表面に当接させやすくすることができる。また、カバー材内に筒状ビーズが偏って充填されることを抑制することができる。
【００１９】
本考案の浴槽用クッションにおいては、前記センタークッション及び前記サイドクッションの、前記カバー材のミシン目は、少なくとも、前記浴槽の上面を覆う部分と、前記浴槽の内側面を覆う部分との間に設けられており、前記吸盤は、このミシン目よりも上方部分と下方部分とに装着されていることが好ましい。
【００２０】
上記態様によれば、センタークッション及びサイドクッションの、浴槽の上面を覆う部分と、浴槽の内側面を覆う部分とを、吸盤を介して、浴槽の対応する表面に当接させやすくすることができる。
【考案の効果】
【００２１】
本考案によれば、入浴時に、すべったりして開口縁部に体をぶつけても、センタークッションとサイドクッションによって衝撃を和らげて、けがをすることを防ぐことができ、また、背中や首や頭をセンタークッションに当接させて、両腕をサイドクッションに載せることで、心地よく入浴することができ、更に、浴槽の形状や大きさ等が変わっても、分離したセンタークッションとサイドクッションとにより、適宜取付けることができる。
【図面の簡単な説明】
【００２２】
【図１】本考案に係る浴槽用クッションの一実施形態を示しており、浴槽に取付けた状態の斜視図である。
【図２】同浴槽用クッションの斜視図である。
【図３】同浴槽用クッションの平面図である。
【図４】同浴槽用クッションの底面図である。
【図５】同浴槽用クッションの断面図である。
【図６】同浴槽用クッションの使用状態を示す斜視図である。
【図７】図１のＡ−Ａ矢示線における断面図である。
【考案を実施するための形態】
【００２３】
以下、図面を参照して、本考案に係る浴槽用クッションの、一実施形態について説明する。
【００２４】
図１に示すように、浴槽１は、一方向に長く伸びる略長方形状をなし、上方が開口した有底枠状をなしている。そして、図１〜４に示すように、この実施形態における浴槽用クッション１０は、浴槽１の長手方向一端の開口縁部３（図１参照）に、吸盤２２（図４参照）を介して取付られるセンタークッション２０と、浴槽１の長手方向一端の両側に位置する開口縁部５，５（図１参照）に、吸盤３２（図４参照）を介してそれぞれ取付けられる一対のサイドクッション３０，３１とを備えている。また、図１及び図７に示すように、センタークッション２０及び一対のサイドクッション３０，３１は、吸盤２２，３２を介して、浴槽１の上面７と内側面９とに着脱可能に固定され、浴槽１の開口縁部３，５の上下を覆うように構成されている。
【００２５】
図５に示すように、センタークッション２０及び一対のサイドクッション３０，３１は、三次元立体編物からなるカバー材４１と、該カバー材４１の内部に、合成樹脂製の筒状ビーズ４５を複数充填してなる芯材４３とで構成されており、カバー材４１の片面に、吸盤２２，３２が装着されている。
【００２６】
図５の部分拡大図に示すように、カバー材４１を構成する三次元立体編物は、複数の網目を有する一対の編地４１ａ，４１ａと、これらの編地４１ａ，４１ａどうしを連結する連結繊維４１ｂとから形成されており、通気性を備えたものとなっている。
【００２７】
なお、前記編地４１ａとしては、ポリエステル系繊維、ポリアミド系繊維、ポリアクリル系繊維、ポリプロピレン系繊維等の合成繊維、綿、麻、ウール等の天然繊維、キュプラレーヨン、ビスコースレーヨン、リヨセル等の再生繊維など、任意の繊維を用いることができる。一方、前記連結繊維４１ｂとしては、ポリトリメチレンテレフタレート繊維、ポリエチレンテレフタレート繊維、ポリブチレンテレフタレート繊維、ポリアミド繊維、ポリプロピレン繊維、ポリ塩化ビニル繊維、ポリエステル系エラストマー繊維等、任意の合成繊維を用いることができる。
【００２８】
なお、上記のような三次元立体編物は、例えば特開２００６−２０７０５８号公報などに記載された方法で製造できると共に、既に各社から市販されているので、そのような市販品を利用することができる。
【００２９】
また、芯材４３を構成する筒状ビーズ４５は、例えば、ポリエチレン、ポリエステル、ポリウレタン（ＰＵ）、ＡＢＳ、又は、ＥＶＡ、ＮＢＲ、発泡ウレタン等の発泡素材などを用いることができる。
【００３０】
更に、センタークッション２０及び一対のサイドクッション３０，３１のカバー材４１には、ミシン目４７によってキルティング加工が施されている。ミシン目４７は、所定の間隔で平行に形成されており、カバー材４１の内部を複数に区画している。ミシン目４７で別れた各区画に筒状ビーズ４５を充填することにより、複数の柱状部分が形成されている。そして、各柱状部分は、キルティング加工のミシン目４７の部分で折り曲げ可能とされている。
【００３１】
次に、センタークッション２０の具体的な形状・構造について詳述する。
【００３２】
図３に示すように、この実施形態におけるセンタークッション２０は、浴槽１の長手方向に直交する幅方向（以下、単に「幅方向」という）に沿って所定長さで伸びて、浴槽１の長手方向一端の開口縁部３の上面７を覆う上面被覆部２４と、該上面被覆部２４の長手方向一側縁部に、ミシン目４７を介して連結されて、浴槽１の長手方向一端の開口縁部３の内側面９を覆う内側面被覆部２６とを有しており、上面被覆部２４及び内側面被覆部２６の片面側のそれぞれに吸盤２２が固着されている（図４参照）。
【００３３】
図３に示すように、この実施形態における前記上面被覆部２４は、浴槽１の幅方向に沿って伸びる、所定幅Ｗ１の柱状部分を２つ並べて、隣接する長手方向側縁部どうしをミシン目４７を介して互いに連結された構造をなしている。また、前記内側面被覆部２６は、浴槽１の幅方向に沿って伸びる、所定幅Ｗ１の柱状部分を３つ並べて、隣接する長手方向側縁部どうしをミシン目４７を介して互いに連結された構造をなしている。なお、上面被覆部２４や内側面被覆部２６における、柱状部分の個数は特に限定されず、浴槽１の形状や大きさに応じて適宜選択することができる。
【００３４】
また、図３に示すように、センタークッション２０の上面被覆部２４の、一対のサイドクッション３０，３１に近接する部分、すなわち、上面被覆部２４の長手方向両端部からは、隣接する相手側である一対のサイドクッション３０，３１に向かって、浴槽１の上面７のみを覆う幅で伸びる延出部２８，２８が形成されている。このように、上面被覆部２４に延出部２８，２８を設けることにより、センタークッション２０は、全体として略Ｔ字形状をなしている（図３参照）。
【００３５】
更に、このセンタークッション２０においては、カバー材４１のミシン目４７は、少なくとも、浴槽１の上面７を覆う部分（上面被覆部２４）と、浴槽１の内側面９を覆う部分（内側面被覆部２６）との間に設けられており、前記吸盤２２は、このミシン目４７よりも上方部分である上面被覆部２４と、下方部分である内側面被覆部２６とに装着された構造となっている（図４参照）。
【００３６】
なお、図４に示すように、この実施形態における吸盤２２は、センタークッション２０の上面被覆部２４及び内側面被覆部２６の、各柱状部分の片面側に、浴槽１の幅方向に沿って所定間隔をあけて複数且つ２列で配置されている。
【００３７】
そして、センタークッション２０は、その上面被覆部２４が、吸盤２２を介して浴槽１の上面７に着脱可能に固定され、内側面被覆部２６が、吸盤２２を介して浴槽１の内側面９に着脱可能に固定されて、浴槽１の長手方向一端の開口縁部３の上下を覆うようになっている。
【００３８】
また、図３に示すように、センタークッション２０の上面被覆部２４及び内側面被覆部２６を構成する、各柱状部分の幅Ｗ１は、８０〜１００ｍｍであることが好ましい。また、センタークッション２０の上面被覆部２４の長さＬ１は、５６０〜６００ｍｍであることが好ましい。更に、センタークッション２０の内側面被覆部２６の長さＬ２は、４００〜４４０ｍｍであることが好ましい。
【００３９】
次に、一対のサイドクッション３０，３１の具体的な形状・構造について詳述する。
【００４０】
図３に示すように、この実施形態における各サイドクッション３０，３１は、浴槽１の長手方向に沿って所定長さで伸びて、浴槽１の長手方向一端の両側に位置する開口縁部５，５の上面７を覆う上面被覆部３４と、該上面被覆部３４の長手方向一側縁部に、ミシン目４７を介して連結されて、浴槽１の長手方向一端の両側に位置する開口縁部５，５の内側面９を覆う内側面被覆部３６とを有しており、上面被覆部３４及び内側面被覆部３６の片面側のそれぞれに吸盤３２が固着されている（図４参照）。
【００４１】
図３に示すように、この実施形態における前記上面被覆部３４は、浴槽１の幅方向に沿って伸びる、所定幅Ｗ２の柱状部分からなる。また、前記内側面被覆部３６は、浴槽１の長手方向に沿って伸びる、所定幅Ｗ２の柱状部分を２つ並べて、隣接する長手方向側縁部どうしをミシン目４７を介して互いに連結された構造をなしている。なお、上面被覆部３４や内側面被覆部３６における、柱状部分の個数は特に限定されず、浴槽１の形状や大きさに応じて適宜選択することができる。
【００４２】
また、図３に示すように、各サイドクッション３０，３１の上面被覆部３４の、前記センタークッション２０に近接する部分、すなわち、上面被覆部３４の長手方向一端部からは、隣接する相手側であるセンタークッション２０に向かって、浴槽１の上面７のみを覆う幅で伸びる延出部３８が形成されている。このように、上面被覆部３４に延出部３８を設けることによって、サイドクッション３０は略Ｌ字形状をなし、サイドクッション３１は略逆Ｌ字形状をなすようになっている（図３参照）。
【００４３】
なお、この実施形態においては、上記一対のサイドクッション３０，３１の上面被覆部３４、及び、前記センタークッション２０の上面被覆部２４の両方に、延出部３８，２８が設けられているが、一対のサイドクッション３０，３１の上面被覆部３４、又は、センタークッション２０の上面被覆部２４の、いずれか一方にのみ延出部を設けてもよい。
【００４４】
更に、これらのサイドクッション３０，３１においては、カバー材４１のミシン目４７は、少なくとも、浴槽１の上面７を覆う部分（上面被覆部３４）と、浴槽１の内側面９を覆う部分（内側面被覆部３６）との間に設けられており、前記吸盤３２は、このミシン目４７よりも上方部分（上面被覆部３４を意味する）と下方部分（内側面被覆部３６を意味する）とに装着された構造となっている（図４参照）。
【００４５】
なお、サイドクッション３０の上面被覆部３４は、浴槽１の長手方向一端の一側（図１の左側）の開口縁部５の上面７を覆い、サイドクッション３１の上面被覆部３４は、浴槽１の長手方向一端の他側（図１の右側）の開口縁部５の上面７を覆うようになっている。
【００４６】
また、図４に示すように、この実施形態における吸盤３２は、各サイドクッション３０，３１の上面被覆部３４の片面側であって、前記ミシン目４７寄りの長手方向一側部周縁に、浴槽１の長手方向に沿って所定間隔をあけて複数配置されており、また、内側面被覆部３６の、各柱状部分の片面側に、浴槽１の幅方向に沿って所定間隔をあけて複数且つ２列で配置されている。
【００４７】
そして、各サイドクッション３０，３１は、その上面被覆部３４が、吸盤３２を介して浴槽１の上面７に着脱可能に固定され、内側面被覆部３６が、吸盤３２を介して浴槽１の内側面９に着脱可能に固定されて、浴槽１の長手方向一端の両側に位置する開口縁部５，５の上下を覆うようになっている。
【００４８】
また、図３に示すように、各サイドクッション３０，３１の上面被覆部３４及び内側面被覆部３６を構成する、各柱状部分の幅Ｗ２は、８０〜１００ｍｍであることが好ましい。また、各サイドクッション３０，３１の上面被覆部２４の長さＬ３は、４５０〜５００ｍｍであることが好ましい。更に、各サイドクッション３０，３１の内側面被覆部３６の長さＬ４は、２５０〜３００ｍｍであることが好ましい。
【００４９】
次に、上記構造からなる浴槽用クッション１０の使用方法及び作用効果について説明する。
【００５０】
すなわち、図１及び図７に示すように、センタークッション２０を、上面被覆部２４と内側面被覆部２６との間のミシン目４７で折り曲げて、その上面被覆部２４を、浴槽１の長手方向一端の開口縁部３の上面７に、吸盤２２を介して取付けると共に、内側面被覆部２６を、同開口縁部３の内側面９に、吸盤２２を介して取付ける。また、各サイドクッション３０，３１を、上面被覆部３４と内側面被覆部３６との間のミシン目４７で折り曲げて、その上面被覆部３４を、浴槽１の長手方向一端の両側に位置する開口縁部５，５の上面に、吸盤３２を介して取付けると共に、内側面被覆部３６を、同開口縁部５，５の内側面９に、吸盤３２を介して取付ける（図１参照）。
【００５１】
上記のようにして、浴槽１に浴槽用クッション１０を取付けるのであるが、浴槽の形状が変わった場合には、そのコーナー部の形状が変化することがある。このとき、この浴槽用クッション１０においては、センタークッション２０と一対のサイドクッション３０，３１とからなる３部品構造となっているので、浴槽の形状が変わっても、そのコーナー部の形状などに拘束されることなく、それぞれを容易に取付けることができる。また、浴槽の大きさが変わっても、センタークッション２０と一対のサイドクッション３０，３１との間隔を調整することによって、浴槽用クッション１０を取付けることができる。このように、この浴槽用クッション１０においては、浴槽の形状や大きさ等が変化しても、それに柔軟に対応して取付けることが可能な、汎用性に富んだクッションを提供することができる。
【００５２】
また、例えば、センタークッションとサイドクッションとが長方形等の形状であった場合、浴槽１の内側面９に当接する部分は互いに近づいて配置できるが、浴槽１の上面７に当接する部分は離れてしまう傾向がある。これに対して、この実施形態によれば、浴槽１の上面７に当接する部分に、センタークッション２０側及びサイドクッション３０，３１側から隣接する相手側に向かって、浴槽１の上面７のみを覆う幅で伸びる延出部２８，３８が、センタークッション２０及び一対のサイドクッション３０，３１にそれぞれ形成されているので、浴槽１の上面７もできるだけ隙間を空けることなく覆うことができ、入浴者に対する保護効果を高めることができる。
【００５３】
更に、この実施形態においては、センタークッション２０及び各サイドクッション３０，３１のカバー材４１には、キルティング加工が施されており、該キルティング加工のミシン目４７の部分で折り曲げ可能とされている。そのため、ミシン目４７の部分で、センタークッション２０やサイドクッション３０，３１を適宜折り曲げて、浴槽１の対応する表面（上面７や内側面９）に当接させやすくすることができる。また、カバー材４１内に筒状ビーズ４５が偏って充填されることを抑制することができる。
【００５４】
更にまた、この実施形態においては、センタークッション２０及び各サイドクッション３０，３１の、カバー材４１のミシン目４７は、少なくとも、浴槽１の上面７を覆う上面被覆部２４，３４と、浴槽１の内側面９を覆う内側面被覆部２６，３６との間に設けられており、吸盤２２，３２は、このミシン目４７よりも上方部分と下方部分とに装着されている。そのため、センタークッション２０及び各サイドクッション３０，３１の、浴槽１の上面７を覆う上面被覆部２４，３４と、浴槽１の内側面９を覆う内側面被覆部２６，３６とを、吸盤２２，３２を介して、浴槽１の対応する表面（上面７や内側面９）に当接させやすくすることができる。
【００５５】
上記のようにして、浴槽１に浴槽用クッション１０を取付けた後、入浴するのであるが、この浴槽用クッション１０においては、浴槽１の長手方向一端の開口縁部３の上下をセンタークッション２０で覆い、その両側に位置する開口縁部５，５の上下を一対のサイドクッション３０，３１で覆うことによって、老人や身体の不自由な人が浴槽に入るときに、すべったりして開口縁部３，５に体をぶつけても、センタークッション２０と一対のサイドクッション３０，３１によって衝撃を和らげて、けがをすることを防ぐことができる。
【００５６】
また、浴槽１に入って、長手方向一端の開口縁部３に背中や首や頭を当接させて足を伸ばしてくつろぐ際に、背中や首や頭をセンタークッション２０に当接させると共に、両腕を一対のサイドクッション３０，３１に載せることにより、体の重さをクッションで受け止めて心地よくすることができると共に、クッションによって体が滑ることを抑制することができる。
【００５７】
更に、この実施形態においては、図５に示すように、センタークッション２０及び各サイドクッション３０，３１は、三次元立体編物からなるカバー材４１と、該カバー材４１の内部に、合成樹脂製の筒状ビーズ４５を複数充填してなる芯材４３とで構成されており、カバー材４１の片面に吸盤２２，３２が装着された構造をなしている。
【００５８】
この態様によれば、三次元立体編物からなるカバー材４１によって、軽量化を図りつつクッション性を高めることができる。また、カバー材４１は三次元立体編物からなると共に、芯材４３は複数の筒状ビーズ４５からなるため、これらに浴槽１の水が含浸しても、速やかに水を落下させることができるので、浴槽用クッション１０が重くなりにくく、使用後の後片付けを簡単に行うことができると共に、浴槽用クッション１０の乾燥も迅速に行うことができ、再使用時の不快感がなくなる。更に、筒状ビーズ４５からなる芯材４３によって、浴槽用クッション１０の耐衝撃性を高めることができ、入浴時に浴槽１の開口縁部３，５に体をぶつけたときに、衝撃をより効果的に和らげることができ、けがをより確実に防ぐことができる。
【００５９】
なお、本考案は、上述した実施形態に限定されるものではなく、本考案の要旨の範囲内で、各種の変形実施形態が可能であり、そのような実施形態も本考案の範囲に含まれる。
【実施例】
【００６０】
上記実施形態の浴槽用クッションの耐衝撃性について試験した。
【００６１】
図２〜４に示すサイドクッション３０と同様の構造をなし、芯材４３として筒状ビーズ４５を充填した、実施例１の浴槽用クッションを製造した。
【００６２】
芯材４３として筒状ビーズ４５を充填しない点は、上記実施形態と同様の、実施例２の浴槽用クッションを製造した。
【００６３】
（試験方法）
一般財団法人ボーケン品質評価機構による落球衝撃試験を行った。すなわち、実施例及び比較例を、センサ上に設置して、質量２ｋｇの鋼球を１００ｍｍの高さから自由落下させて、その衝撃力の最大荷重を測定した。その結果を下記表１に示す。
【００６４】
【表１】
0003207933.tif 000003
【００６５】
上記表１に示すように、芯材４３として筒状ビーズ４５を充填した実施例１は、筒状ビーズ４５を充填していない実施例２に比べて、最大荷重が小さいので、衝撃吸収能が高く、耐衝撃性に優れることが分かった。
【符号の説明】
【００６６】
１  浴槽
３  開口縁部（浴槽の長手方向一端側）
５  開口縁部（浴槽の長手方向一端の両側）
７  上面
９  内側面
１０  浴槽用クッション
２０  センタークッション
２２  吸盤
２４  上面被覆部
２６  内側面被覆部
２８  延出部
３０，３１  サイドクッション
３２  吸盤
３４  上面被覆部
３６  内側面被覆部
３８  延出部
４１  カバー材
４１ａ  編地
４１ｂ  連結繊維
４３  芯材
４５  筒状ビーズ
４７  ミシン目
【図１】
0003207933.tif 000004
【図２】
0003207933.tif 000005
【図３】
0003207933.tif 000006
【図４】
0003207933.tif 000007
【図５】
0003207933.tif 000008
【図６】
0003207933.tif 000009
【図７】
0003207933.tif 000010